(57)【要約】【課題】マニュアルフォーカス調整において容易に焦点を合わせることを可能にする技術の提供。【解決手段】絞りの開口径が第１開口径である第１状態で撮像部で撮影された画像が表示部に表示されている場合において、ユーザー操作に基づく焦点の調整の開始に応じて、絞り調整部に指示を行って絞りの開口径が第１開口径よりも大きい第２開口径である第２状態に変化させ、当該第２状態にて撮像部で撮影された画像を表示部に表示させるとともに第２状態にて焦点が合っている部分を示す画像を表示部に表示させ、ユーザー操作に基づく焦点の調整の終了に応じて第１状態に戻し、第１状態で撮像部で撮影された画像を表示部に表示させる。【選択図】図１
2013153371.tif 000002
【特許請求の範囲】
【請求項１】
レンズを通過した光によって撮影を行う撮像部と、
ユーザー操作に基づいて前記レンズの焦点を調整する焦点調整部と、
前記撮像部での撮影に際しての絞りの開口径を調整する絞り調整部と、
前記撮像部で撮影された画像を表示する表示部と、
前記絞りの開口径が第１開口径である第１状態で前記撮像部で撮影された画像が前記表示部に表示されている場合において、
前記ユーザー操作に基づく前記焦点の調整の開始に応じて、前記絞り調整部に指示を行って前記絞りの開口径が前記第１開口径よりも大きい第２開口径である第２状態に変化させ、当該第２状態にて前記撮像部で撮影された画像を前記表示部に表示させるとともに前記第２状態にて前記焦点が合っている部分を示す画像を前記表示部に表示させ、
前記ユーザー操作に基づく前記焦点の調整の終了に応じて前記第１状態に戻し、前記第１状態で前記撮像部で撮影された画像を前記表示部に表示させる、
表示画像制御部と、
を備える撮影装置。
【請求項２】
前記表示画像制御部は、前記第２状態にて前記撮像部で撮影された画像に対してエッジが強いほど強調度合いが大きくなるエッジ強調処理を行って前記第２状態にて前記撮像部で撮影された画像に前記第２状態にて前記焦点が合っている部分を示す画像が重畳された画像を生成し、前記表示部に表示させる、
請求項１に記載の撮影装置。
【請求項３】
前記表示画像制御部は、前記第２状態にて前記焦点が合っている部分を示す画像は、当該部分を当該部分の被写体の色と異なる色で着色することによって生成される、
請求項１または請求項２のいずれかに記載の撮影装置。
【請求項４】
前記撮像部で画像を撮影する際の露出を調整する露出調整部を備え、
前記表示画像制御部は、前記露出調整部に指示を行って、前記第１状態における露出を維持した状態で前記第１状態から前記第２状態に変化させる、
請求項１〜請求項３のいずれかに記載の撮影装置。
【請求項５】
レンズを通過した光によって撮影を行う撮像部と、
ユーザー操作に基づいて前記レンズの焦点を調整する焦点調整部と、
前記撮像部での撮影に際しての絞りの開口径を調整する絞り調整部と、
前記撮像部で撮影された画像を表示する表示部とを備える撮影装置における撮影方法であって、
前記絞りの開口径が第１開口径である第１状態で前記撮像部で撮影された画像が前記表示部に表示されている場合において、
前記ユーザー操作に基づく前記焦点の調整の開始に応じて、前記絞り調整部に指示を行って前記絞りの開口径が前記第１開口径よりも大きい第２開口径である第２状態に変化させ、当該第２状態にて前記撮像部で撮影された画像を前記表示部に表示させるとともに前記第２状態にて前記焦点が合っている部分を示す画像を前記表示部に表示させ、
前記ユーザー操作に基づく前記焦点の調整の終了に応じて前記第１状態に戻し、前記第１状態で前記撮像部で撮影された画像を前記表示部に表示させる、
表示画像制御工程を行う、
撮影方法。
【発明の詳細な説明】
【技術分野】
【０００１】
本発明は、撮影装置および撮影方法に関する。
【背景技術】
【０００２】
従来、焦点調整を自動的に行うオートフォーカス調整が知られている。例えば、特許文献１においては、絞りを最も閉じた状態で撮影した画像を表示部に表示させ、絞りを所定口径まで開いた後に焦点調整を行うことで焦点調整の精度を向上させる技術が開示されている。
【先行技術文献】
【特許文献】
【０００３】
【特許文献１】特開２００９−３０３１１３号公報
【発明の概要】
【発明が解決しようとする課題】
【０００４】
上述の従来技術などのように、オートフォーカス調整に関しては各種の精度向上技術が開発されている。しかし、オートフォーカス調整を利用せず、ユーザー自身の操作によってレンズの焦点を調整するマニュアルフォーカス調整おいて容易に高精度の調整を行うことは困難であった。すなわち、一般的なユーザーは、マニュアルフォーカス調整において所望の被写体に焦点を合わせるために、レンズを駆動して焦点の位置を変動させ、当該変動による被写体像の変化の過程で最も焦点が合っているレンズの位置をユーザー自身が判断しなければならない。  本発明は上記課題にかんがみてなされたもので、マニュアルフォーカス調整において容易に焦点を合わせることを可能にする技術の提供を目的とする。
【課題を解決するための手段】
【０００５】
本発明にかかる撮影装置は、レンズと絞りとを含む撮像部によって撮影した画像を表示部に表示させながらマニュアルフォーカス調整による焦点調整を行うことが可能な装置である。すなわち、マニュアルフォーカス調整による焦点調整前において、表示部に表示される画像は絞りの開口径が第１開口径である第１状態で撮影される。また、ユーザー操作によるレンズの焦点調整が開始されると、絞りの開口径が第１開口径よりも大きい第２開口径となった第２状態に絞りの状態が変更され、当該第２状態で撮影された画像が表示部に表示される。従って、マニュアルフォーカス調整が開始されると、それ以前よりも被写界深度が狭くなり、焦点を調整するための負荷が減少する。
【０００６】
さらに、マニュアルフォーカス調整が開始された後の第２状態においては、当該第２状態にて焦点が合っている部分を示す画像も表示部に表示される。従って、ユーザーは、第２状態において表示部を視認することによって、ユーザー自身が意図した部分に合焦しているか否かを容易に判断することができる。また、第１開口径は第２開口径よりも小さいため、第１状態において焦点が合っている部分が画像内で占める割合と第２状態において焦点が合っている部分が画像内で占める割合とでは、後者の方が少ない。従って、ユーザーが被写体の極狭い部分に焦点を合わせたい場合に、当該極狭い部分に焦点が合っているか否かを正確に判定することができる。この結果、マニュアルフォーカス調整において容易に焦点を合わせることが可能になる。
【０００７】
ここで、撮像部は１枚以上のレンズを通過した光によって撮影を行うことが可能であればよい。画像の撮影は撮像素子による受光量を検出することによって行われればよく、撮像素子の出力に基づいて画像処理を行う画像処理部が撮像部に含まれていても良い。
【０００８】
焦点調整部は、ユーザー操作に基づいてレンズの焦点を調整することができればよい。すなわち、ユーザーが操作可能なフォーカスリングやボタン等に連動してレンズを光軸方向に駆動する機構を備えていればよい。
【０００９】
絞り調整部は、絞りの設定値に基づいて絞りの開口径を調整することができればよい。絞りは、例えば複数の遮蔽板等がレンズの光軸に対して垂直な平面内で回動可能に支持されることにより、レンズの光軸に垂直な平面内での光の通路となる開口部の開口径が変動するように構成された機構である。そこで、絞り調整部は、当該絞りの開口径を変動させるための機構を駆動することが可能に構成されるとともに、Ｆ値等の絞りを指示する設定値に対応する開口径とするために必要な絞りの駆動量が予め特定されており、設定値通りの開口径となるように絞りを制御することができるように構成されていればよい。なお、絞りの設定値は任意の手法によって指定可能であり、ユーザーによって指定される構成や撮影装置のデフォルトによって指定される構成、他のパラメーター（例えば、シャッター速度の設定値や露出値）に基づいて特定される構成等を採用可能である。また、撮像部においてレンズや絞りを含む光学系は、一般に、光軸を中心軸とした鏡筒に囲まれているため、絞りの可動範囲は制限され、絞りの開口径には最大開口径と最小開口径とが存在する。
【００１０】
表示部は、撮影装置に備えられていればよく、設置場所は限定されない。従って、撮影装置の筐体の外周面上に外から視認可能に表示部が備えられていても良いし、ファインダーを覗くことによって視認できるように表示部が備えられていても良い。いずれにしても、ここでは、マニュアルフォーカス調整を行う対象となる画像が第１状態で表示部に表示され、マニュアルフォーカス調整のためのユーザー操作に応じて第１状態から第２状態に切り替えられて撮影された画像が表示されるように構成されていればよい。
【００１１】
表示画像制御部は、絞り調整部に指示を行って絞りを制御し、また、絞りを調整した後に表示部に表示する画像を制御することができればよい。すなわち、マニュアルフォーカス調整が開始された場合に、マニュアルフォーカス調整が開始される前の第１状態と比較して絞りを開いた第２状態とし、当該第２状態で撮影した画像と合焦部分を示す画像とを表示部に同時に表示することができればよい。ここで、第２状態においては、当該第２状態にて撮像部で撮影された画像と第２状態にて焦点が合っている部分を示す画像とが表示部に同時に視認されるように構成されていればよく、例えば、１枚の画像内で両画像が表示される構成を採用可能である。
【００１２】
具体的には、第２状態にて撮像部で撮影された画像に対して、空間周波数が高い部分を強調する画像処理を行い、元画像と強調画像を重畳させて表示させれば、強調された部分が第２状態にて焦点が合っている部分を示す部分であり、強調されていない部分が第２状態にて焦点が合っていない部分を示す部分である画像が生成される。従って、当該画像処理後の画像を表示部に表示すれば、第２状態にて撮像部で撮影された画像と第２状態にて焦点が合っている部分を示す画像とが表示部で同時に視認されることになる。なお、空間周波数が高い部分を強調する画像処理は、例えば、エッジが強いほど強調度合いが大きくなるエッジ強調処理等が挙げられる。当該エッジ強調処理によれば、合焦により急峻になったエッジ画素が強調され、合焦部分を容易に判定することが可能になる。
【００１３】
なお、表示画像制御部は、マニュアルフォーカス調整が終了すると、絞りを第１状態に戻し、第１状態で撮像部で撮影された画像を表示部に表示させる。従って、焦点を調整した後、ユーザーは設定値通りに絞りが調整された画像、すなわち、設定通りの絞りに対応したぼけの具合となっている画像を表示部で視認することができ、ぼけの具合や被写界深度の状況を見ながら更に絞りの設定を変更することができる。このため、ユーザーは、設定通りの絞りで撮影された画像を視認しながら画角調整等を行うことができる。
【００１４】
さらに、第２状態にて焦点が合っている部分を示す画像は、単に当該部分を撮影して得られる画像とは異なる画像であればよいが、合焦部分をより明確にするためには当該部分が強調されていることが好ましい。例えば、当該部分を当該部分の被写体の色と異なる色で着色して第２状態にて焦点が合っている部分を示す画像を生成する構成を採用可能である。例えば、上述のようにエッジ強調処理によって当該部分を示す画像を生成する構成において、強調されたエッジの画素を特定の色（白や赤等）で着色する構成等を採用可能である。
【００１５】
さらに、第１状態から第２状態に切り替える際に、露出が維持されるように調整を行っても良い。すなわち、撮像部で画像を撮影する際の露出を調整する露出調整部を備える構成において、表示画像制御部が露出調整部に指示を行って、第１状態における露出を維持した状態で第１状態から第２状態に変化させる構成とする。この構成によれば、マニュアルフォーカス調整が開始されて絞りの開口径が大きくなることに伴って、表示部に表示される画像の明るさが急変することはなく、ユーザーに違和感を与えることなく第１状態から第２状態に変化させることができる。
【００１６】
なお、露出調整部は、画像が撮影される際に撮像素子で検出される検出値を撮像素子全体で調整することができればよい。従って、絞りの変化に連動するようにシャッター速度を調整する調整部によって実現されても良いし、撮像素子のゲインを調整する調整部によって実現されても良い。
【００１７】
シャッター速度によって露出を調整する構成において、第１状態では絞りの開口径が第１開口径、シャッター速度が第１シャッター速度とされる。そして、これらの第１開口径、第１シャッター速度で規定される露出が第２状態でも維持されるように調整される。すなわち、第２状態においては絞りの開口径が第２開口径、シャッター速度が第２シャッター速度とされ第１開口径から第２開口径まで絞りの開口径が大きくなることによって増加する光量に相当する光量を減殺するようにシャッター速度を第１シャッター速度よりも速くして第２シャッター速度とする。
【００１８】
なお、絞りの開口径が大きいほど被写界深度が狭くなるため、マニュアルフォーカス調整を行う際の絞りの開口径である第２開口径は大きいほど好ましい。従って、第１状態における露出を維持しながら第２状態に変化させる際に、絞りが最大開口径である状態で第１状態における露出と同一の露出となるシャッターの速度を選択できる場合には、第２開口径を最大開口径とする。そして、絞りが最大開口径である場合に第１状態における露出と同一の露出となるシャッターの速度を選択して第２状態のシャッター速度とする。この構成により、所定の露出を維持できるのであれば絞りが最大開口径となるように制御して焦点を調整することができる。
【００１９】
一方、絞りが最大開口径である状態で第１状態における露出と同一の露出となるシャッターの速度を選択できない場合には、シャッターの速度を最高速とした場合に所定の露出となる絞りの開口径と最高速のシャッターの速度とによって第２状態を実現することが好ましい。すなわち、第１状態における露出と同一の露出を維持するために選択し得るシャッター速度と絞りの開口径との組み合わせの中で、シャッター速度が最高速である組み合わせを選択すれば当該組み合わせの中で最も開口径が大きい絞りを選択することになる。従って、この構成によれば、可能な限り大きな絞りの開口径となるように設定することができる。
【００２０】
なお、第１状態および第２状態は、表示部に画像を表示している間に切り替えられる状態であり、状態変化の過程で表示部に画像が表示され続ける。すなわち、第１状態および第２状態で撮影されたリアルタイムの画像が表示部に表示され続けることによって、焦点調整前後の被写体の様子を視認し続けられるように構成される。従って、各状態においては、各状態におけるシャッター速度で画像を撮影する処理を繰り返して表示画像を生成する必要があり、第１シャッター速度、第２シャッター速度は短期間に繰り返してシャッター動作を行うことが可能な電子シャッターであることが好ましい。
【００２１】
さらに、本発明のように、マニュアルフォーカス調整の開始に応じて絞りを開き、焦点が合っている部分を示す画像を表示する手法は、プログラムや方法としても適用可能である。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００２２】
【図１】本発明の実施形態にかかるブロック図である。
【図２】（２Ａ）はＦ値と光量との関係を示す図、（２Ｂ）はシャッター速度と光量との関係を示す図である。
【図３】撮影処理を示すフローチャートである。
【図４】（４Ａ）は画像データ、（４Ｂ）はエッジ検出フィルタによる処理、（４Ｃ）はエッジ強調処理を説明する図である。
【発明を実施するための形態】
【００２３】
ここでは、下記の順序に従って本発明の実施の形態について説明する。
（１）撮影装置の構成：
（２）撮影処理：
（３）他の実施形態：
【００２４】
（１）撮影装置の構成：
図１は本発明の一実施形態にかかる撮影装置１には、撮像部１００、表示部２０、記録部３０、操作部４０、焦点調整部５０、絞り調整部６０、シャッター速度調整部７０、状態制御部８０が備えられている。
【００２５】
操作部４０はシャッターボタンと、撮影モードを切り換えるための操作部と、絞りを切り替えるための操作部と、シャッター速度を切り換えるための操作部と、各種の設定メニューを操作するための操作部とを備えており、利用者は当該操作部４０に対する操作によって撮影装置１に対して各種の指示を与えることができる。本実施形態においてユーザーは、操作部４０において撮影モードを切り替えるための操作部を操作することにより、マニュアルフォーカスモードとオートフォーカスモードとを切り替えることができる。
【００２６】
表示部２０は、図示しないインターフェース回路、液晶パネルドライバー、液晶パネル、図示しない接眼レンズ等を備えている。本実施形態において、表示部２０は、撮影対象となる被写体を示す画像を表示して利用者に撮影前の被写体の様子および撮影条件等の情報を把握させるＥＶＦ（Electronic View Finder）であり、本実施形態にかかる撮影装置１はＥＶＦを備えたミラーレスデジタルカメラである。
【００２７】
記録部３０は、図示しない記録媒体を挿入することが可能であり、記録部３０に記録媒体が挿入された状態で、記録媒体に対して情報を記録し、また、記録媒体から情報を読み出すことができる。すなわち、撮影した画像を示す画像データを記録媒体に記録することができる。
【００２８】
撮像部１００は、光学系１０とエリアイメージセンサー１４とＳＯＣ（System On a Chip）１５とを備えている。光学系１０は、エリアイメージセンサー１４に被写体画像を結像させるレンズ１１、絞り１２、シャッター１３を備えている。本実施形態においてレンズ１１と絞り１２とは鏡筒内に備えられており、当該鏡筒は図示しない筐体に交換可能に取り付けられる。本実施形態において、レンズ１１は光軸に平行な方向に並べられた複数枚のレンズを含み（図１では代表として１枚のみを描いている）、各レンズの外縁部が鏡筒内周に備えられた支持部にて支持されるとともに、光軸方向に平行な方向に移動可能である。すなわち、マニュアルフォーカスモードにおいては、鏡筒の外周に備えられたフォーカスリングを回転させることによってレンズ１１のうち少なくとも１枚のレンズを光軸方向に平行な方向に移動させることができる。オートフォーカスモードにおいては、図示しないモーターによってレンズ１１のうち少なくとも１枚のレンズを光軸方向に平行な方向に移動させることができる。
【００２９】
また、本実施形態において、絞り１２は、レンズ１１の光軸に対して垂直な平面内で回動可能に支持された複数の遮蔽板によって構成され、複数の遮蔽板が連動して回動することによって光軸に対して垂直な平面内で遮蔽されていない部分の面積を変化させることが可能である。当該遮蔽されていない部分を光軸中心からの距離で示した値が絞り１２の開口径である。
【００３０】
なお、本実施形態にかかる撮影装置１において、絞りの設定値であるＦ値は１．４〜２２．０の間で選択可能であり、Ｆ値が小さくなるほど絞り１２の開口径が大きくなり、絞り１２を１段階変化させることによって光量を１／２あるいは２倍に変化させることができる。図２Ａは、Ｆ値が８．０〜１．４である場合の光量の相対的な変化を示すグラフである。すなわち、図２Ａにおいては、シャッター速度を固定してＦ値を変化させた場合の光量を縦軸、Ｆ値を横軸に示しており、Ｆ値＝１．４で撮影を行った場合にエリアイメージセンサー１４に到達する光量をＬとして示している。同図２Ａに示すように、Ｆ値を１段階大きくする（約２1/2倍のＦ値とする：開口径は小さくなる）と光量は１／２倍になり、Ｆ値を１段階小さくする（約１／２1/2倍のＦ値とする）と光量は２倍になる。
【００３１】
シャッター１３は機械シャッターであり、エリアイメージセンサー１４の撮像素子面に対して平行な平面板状の遮光部としての遮光幕を備える。この遮光幕が光軸に対して垂直な方向に駆動可能であり、通常は遮光幕が光軸に平行な方向の光路を遮らない状態で保持されている。また、遮光幕が光路を遮らない状態で保持されている状態において、所定のトリガが与えられると当該遮光幕が保持された状態が解除され、遮光幕は光軸に対して垂直な方向に駆動して光路を遮る状態となる。本実施形態においては、当該シャッター１３とエリアイメージセンサー１４の電子シャッターとを組み合わせることによって記録媒体に記録する画像を撮影する際の露光時間を制御する。
【００３２】
エリアイメージセンサー１４は、ベイヤー配列されたカラーフィルターと、光量に応じた電荷を光電変換によって画素ごとに蓄積する複数のフォトダイオードとを備えるＣＭＯＳ（Complementary Metal Oxide Semiconductor）イメージセンサーである。むろん、撮像素子はＣＣＤ（Charge Coupled Device）イメージセンサーであってもよい。本実施形態において、エリアイメージセンサー１４は電子シャッター動作を行うことが可能である。すなわち、エリアイメージセンサー１４は、光電変換素子における露光の開始タイミングと露光の終了タイミングをライン毎に制御することが可能であり、各ラインにおいて撮像素子が光を検出する状態となっている長さを調整しながら露光の開始および終了タイミングを調整することが可能である。本実施形態においては、電子シャッターによってライブビュー表示を行うための画像を撮影する際の露光時間を制御する。
【００３３】
従って、本実施形態にかかる撮影装置１は、機械シャッターであるシャッター１３とエリアイメージセンサー１４の電子シャッターとの組み合わせによって露光時間を制御可能であるとともに、エリアイメージセンサー１４の電子シャッターによって露光時間を制御可能である。すなわち、記録媒体に記録する画像を撮影する際には、電子先幕−機械後幕シャッター方式によって露光時間が制御される。具体的には、まず、電子シャッターによりライン順次で露光が開始され、ライン毎の露光時間が設定されたシャッター速度となるタイミングで各ラインが遮光されるように機械シャッターによる遮光が開始される。一方、ライブビュー表示を行うための画像を撮影する際には、電子シャッター方式によって露光時間が制御される。すなわち、先幕も後幕も電子シャッターによって制御される。具体的には、まず、電子シャッターによりライン順次で露光が開始され、ライン毎の露光時間が設定されたシャッター速度となるようにライン順次で露光が終了される。
【００３４】
なお、本実施形態にかかる撮影装置１においては、いずれのシャッター方式であっても同一の範囲でシャッター速度を変化させることが可能であり、本実施形態においては、当該シャッター速度を１／２倍あるいは２倍に変化させながら１／４０００（秒）〜１秒の間で選択可能である。図２Ｂは、シャッター速度が１／４０００（秒）〜１／１２５である場合の光量の相対的な変化を示すグラフである。すなわち、図２Ｂにおいては、絞り１２の開口径を固定してシャッター速度を変化させた場合の光量を縦軸、シャッター速度を横軸に示しており、シャッター速度＝１／１２５で撮影を行った場合にエリアイメージセンサー１４に到達する光量をＬとして示している。同図２Ｂに示すように、シャッター速度を１段階速くすると光量は１／２倍になり、シャッター速度を１段階遅くすると光量は２倍になる。
【００３５】
ＳＯＣ１５は、予め決められた手順によって各種の処理を実行する回路が構成されたチップであり、ＳＯＣ１５は、表示部２０と記録部３０と操作部４０と光学系１０とエリアイメージセンサー１４との動作を制御する。当該制御のために、ＳＯＣ１５は、表示画像制御部１５ａ、表示制御部１５ｂ、撮影処理部１５ｃ、画像生成部１５ｄを備えている。
【００３６】
表示画像制御部１５ａは、操作部４０における指示やデフォルト設定に基づいてライブビュー表示対象となる画像の撮影条件を特定し、当該撮影条件にて撮影を行うためのパラメーターを出力する機能を備えている。本実施形態において、当該パラメーターに応じた絞りやシャッター速度等の設定は、状態制御部８０によって実行される。すなわち、状態制御部８０は、焦点調整部５０、絞り調整部６０、シャッター速度調整部７０に対して制御信号を出力して、焦点、絞り１２、シャッター速度を調整するプロセッサーである。なお、ライブビュー表示中において調整されるシャッター速度は電子シャッターによる露光開始と電子シャッターによる露光終了との間隔である。
【００３７】
また、オートフォーカスモードにおいては状態制御部８０から焦点調整部５０に対して制御信号が出力されて上述のモーターが駆動されることによって焦点の位置が自動調整されるが、マニュアルフォーカスモードにおいて状態制御部８０から焦点調整部５０に対して制御信号は出力されない。すなわち、焦点の位置はフォーカスリングによって調整される。さらに、本実施形態のマニュアルフォーカスモードにおいては、ライブビューを実行中であるとともに、マニュアルフォーカス調整を行っていない状態である第１状態と、ライブビューを実行中であるとともに、マニュアルフォーカス調整を行っている状態である第２状態とを切り替えながらライブビューを行うように構成されており、状態制御部８０が表示画像制御部１５ａから出力されるパラメーターに応じて各状態を切り替える。なお、第１状態と第２状態とに関する制御の詳細は後述する。
【００３８】
さらに、表示画像制御部１５ａは、ライブビュー表示を行うための撮影条件で撮影された画像に対してγ変換等の所定の画像処理を行って表示用の画像を示す画像データを生成する機能を備えている。当該画像処理には、ＡＥ（Automatic Exposure）処理を行うための評価値とマニュアルフォーカス調整をアシストするための画像を生成するための処理が含まれる。すなわち、表示画像制御部１５ａは、エリアイメージセンサー１４による撮影範囲内に設定された所定の測光エリアに含まれる画素の明るさを評価するための評価値（例えば、輝度の平均値等）を特定し、ＡＥ処理を行うための評価値として出力することが可能である。状態制御部８０は、ＡＥを行う設定となっている場合、当該ＡＥ処理を行うための評価値に基づいて絞り調整部６０およびシャッター速度調整部７０に制御信号を出力し、露出を調整する。当該ＡＥ処理の詳細は後述する。
【００３９】
また、表示画像制御部１５ａは、第２状態において撮影された画像に対してエッジ強調処理を行って、第２状態にて撮像部で撮影した画像に、第２状態にて焦点が合っている部分を示す画像が重畳された画像を示す画像データを生成し、マニュアルフォーカス調整をアシストするための画像とする。なお、第１状態においては、焦点が合っている部分を示す画像を重畳することなく、第１状態において撮影された画像（γ変換等がなされた画像）を示す画像データを生成する。
【００４０】
表示制御部１５ｂは、表示画像制御部１５ａによって画像処理が行われた画像データを表示部２０に表示させる機能を備えている。すなわち、表示制御部１５ｂは、表示画像制御部１５ａから出力された画像データを表示部２０に出力する。また、表示制御部１５ｂは、所定周期のクロック信号に基づいて１フレーム分の表示を行うための期間を規定する垂直同期信号、１ライン分の表示を行うための期間を規定する水平同期信号、各ライン内での画像データの取り込み期間を規定するデータアクティブ信号、各画素の画像データの取り込みタイミング等を規定するデータクロック信号を生成し、表示部２０に対して出力する。この結果、表示部２０においては、水平同期信号が規定する周期でライン毎の描画を行い、垂直同期信号が規定する周期でフレーム描画を行って画像を表示することとなり、所定のフレーム周期（例えば、６０ｆｐｓ）で画像を表示するライブビュー表示を行うことができる。従って、第１状態においては撮影された画像が表示部２０に表示されるライブビュー表示となり、第２状態においては撮影された画像のエッジが強調された画像が表示部２０に表示されるライブビュー表示となる。
【００４１】
撮影処理部１５ｃは、記録媒体に記録される画像を撮影する際のパラメーターを出力する機能を備えており、本実施形態においては、ライブビュー表示中の絞り１２およびシャッター速度の設定を示すパラメーターを撮影用のパラメーターとして出力する。すなわち、本実施形態においては、撮影モードにおいて操作部４０にてシャッターボタンが操作されると、絞り１２およびシャッター速度の設定が第１状態と同一の設定とされて画像が撮影され、記録媒体に記録される。具体的には、撮影処理部１５ｃが第１状態の設定値を示すパラメーターを状態制御部８０に出力し、状態制御部８０は、当該パラメーターに応じた制御信号を絞り調整部６０、シャッター速度調整部７０に対して出力する。この結果、必要に応じて絞り１２、シャッター速度が第１状態通りの設定となるように調整されて撮影が行われ、ライブビュー表示と同様のＡＥが行われた状態で画像が撮影される。なお、記録媒体に記録される画像を撮影する場合、本実施例では、電子シャッターによる露光開始と機械シャッターによる露光終了との双方の間隔がシャッター速度となる。
【００４２】
画像生成部１５ｄは、撮影処理部１５ｃが指示した設定で撮影された画像に対してγ変換等の所定の画像処理を行って記録用の画像を示す画像データを生成し、記録媒体に記録する機能を備えている。すなわち、エリアイメージセンサー１４によって撮影された画像に対して画像処理を行い、画像処理後の画像を示す画像データを記録部３０に挿入された記録媒体に記録する。
【００４３】
（２）撮影処理：
次に、マニュアルフォーカスモードにおける撮影処理を詳細に説明する。以下の処理は、マニュアルフォーカスモードで撮影モードである場合行われる処理であり、いずれかのモードが終了することで、処理を終了する。本実施形態におけるライブビュー表示は、図３に示す撮影処理の過程で撮影対象となる画像を確認する際に利用される。当該撮影処理において、状態制御部８０は、まず、ユーザーによって設定された絞り１２の設定値に応じた開口径となるように絞り１２を調整する（ステップＳ１００）。すなわち、ユーザーは操作部４０によって予め直接的あるいは間接的に絞り１２のＦ値を設定する。当該絞り１２のＦ値を示す情報は表示画像制御部１５ａから状態制御部８０に受け渡される。絞り１２のＦ値を示す情報が状態制御部８０に受け渡されると、状態制御部８０は絞り調整部６０に制御信号を出力し、絞り調整部６０は当該絞り１２のＦ値に応じた開口径になるように絞り１２を制御する。
【００４４】
絞り１２の開口径がユーザーによって設定された設定値となるように制御されると、次に表示画像制御部１５ａはＡＥ処理を実行する。すなわち、表示画像制御部１５ａは、絞り１２の開口径がユーザーによって設定された設定値となった状態において、エリアイメージセンサー１４の撮影範囲内に予め設定された測光エリアの画素の明るさを評価するための評価値を特定し、状態制御部８０に対してＡＥ処理を行うための評価値として出力する（ステップＳ１０５）。なお、この段階におけるシャッター速度はデフォルト値（あるいは、前回の撮影の際の設定値）である。
【００４５】
次に、状態制御部８０は、ＡＥ処理を行うための評価値に基づいてフィードバック制御を行いながら適正露出となるようにシャッター速度を調整する（ステップＳ１１０）。すなわち、状態制御部８０は、ＡＥ処理を行うための評価値が予め決められた適正露出範囲内である状態、適正露出範囲よりも大きい（測光エリアの明るさが明るい）状態、適正露出範囲よりも小さい（測光エリアの明るさが暗い）状態のいずれであるのかを判定する。
【００４６】
そして、ＡＥ処理を行うための評価値が適正露出範囲よりも大きい状態である場合、状態制御部８０は、シャッター速度を１段階速くさせるための制御信号をシャッター速度調整部７０に対して出力する。この結果、シャッター速度調整部７０がエリアイメージセンサー１４における電子シャッターのシャッター速度を直前のシャッター速度よりも１段階速くさせる。この場合、エリアイメージセンサー１４に到達する光量が直前の状態よりも少なくなるため、この状態で表示画像制御部１５ａが再度ＡＥ処理を行うための評価値を取得すると、直前の状態よりも評価値は小さくなる。そこで、以上のようなシャッター速度を速くする処理を、ＡＥ処理を行うための評価値が適正露出範囲となるまで繰り返すことによって、適正露出で画像が撮影される状態とする。なお、評価値と適正露出範囲とが所定値以上離れている場合には、一度に複数段シャッター速度を変化させてもよい。
【００４７】
一方、ＡＥ処理を行うための評価値が適正露出範囲よりも小さい状態である場合、状態制御部８０は、シャッター速度を１段階遅くさせるための制御信号をシャッター速度調整部７０に対して出力する。この結果、シャッター速度調整部７０がエリアイメージセンサー１４における電子シャッターのシャッター速度を直前のシャッター速度よりも１段階遅くさせる。この場合、エリアイメージセンサー１４に到達する光量が直前の状態よりも多くなるため、この状態で表示画像制御部１５ａが再度ＡＥ処理を行うための評価値を取得すると、直前の状態よりも評価値は大きくなる。そこで、以上のようなシャッター速度を遅くする処理を、ＡＥ処理を行うための評価値が適正露出範囲となるまで繰り返すことによって、適正露出で画像が撮影される状態とする。なお、この場合でも、評価値と適正露出範囲とが所定値以上離れている場合には、一度に複数段シャッター速度を変化させてもよい。
【００４８】
なお、絞り１２の開口径がユーザーによって設定された設定値となるように制御された段階においては、シャッター速度をデフォルト値（あるいは、前回の撮影の際の設定値）とした状態でＡＥ処理を行うための評価値が特定されるが、このようにシャッター速度を調整する前の段階で評価値が適正露出範囲であればシャッター速度はデフォルト値（あるいは、前回の撮影の際の設定値）のままとなる。本実施形態においては、以上のようにしてユーザーの設定通りに絞り１２の開口径が設定され、適正露出となるようにシャッター速度が設定された状態が第１状態である。
【００４９】
以上のようなＡＥ処理により、撮影される画像の露出が適正露出となった状態においては、表示制御部１５ｂの処理によって表示部２０に表示される画像の露出が適正であり、ユーザーは適正露出の画像を視認することができる。また、絞り１２の開口径はユーザーによって設定された設定値であるため、ユーザーが意図した絞り１２の設定での画像のぼけになっているか否か等を確認することができる。また、表示部２０においてはエリアイメージセンサー１４によって撮影された画像が所定のフレーム周期で描画されるため、ユーザーは撮像部１００にて撮影される画像の様子をリアルタイムに認識しながら画角調整等を行うことができる。
【００５０】
以上のような第１状態において、レンズ１１の位置は前回の撮影の際の位置（あるいはデフォルト位置）から変動しておらず、焦点の位置は前回の撮影の際の焦点の位置（あるいはデフォルトの焦点位置）と同一である。従って、ユーザーが画角や被写体を変更するなどした場合に、ユーザー所望の部分に焦点が合っていない状態となり得る。このため、マニュアルフォーカスモードにおける撮影において、ユーザーはフォーカスリングによってレンズ１１の焦点を調整することになる。
【００５１】
そこで、表示画像制御部１５ａは、フォーカスリングが回転されたか否かを判定する（ステップＳ１１５）。当該ステップＳ１１５においてフォーカスリングが回転されたと判定されない場合、ステップＳ１６０以降の処理を実行する。一方、ステップＳ１１５にて、フォーカスリングが回転されたと判定されると、状態制御部８０が絞り１２の開口径を可能な限り大きな開口径に設定する。また、このとき、状態制御部８０は、絞り１２の開口径の変化に伴って表示部２０に表示される画像の露出が維持されるようにシャッター速度を調整する。この場合の絞り１２の開口径とシャッター速度とによって実現される状態が焦点を調整する際の第２状態となる。
【００５２】
具体的には、このように第１状態から第２状態に状態を変化させるため、状態制御部８０は、第１状態における絞り１２の開口径（Ｆ値）とシャッター速度とを次のように特定する（ステップＳ１２０）。まず、第１状態における絞り１２の開口径（Ｆ値）とシャッター速度は適正露出となる絞り１２とシャッター速度との組み合わせであるため、ステップＳ１００およびＳ１１０にて調整された絞りとシャッター速度とを特定する。そして、状態制御部８０は、絞り１２を最大開口径（最小のＦ値）とした状態で適正露出となるシャッター速度を選択できるか否かを判定する（ステップＳ１２５）。すなわち、絞り１２を最大開口径（最小のＦ値）とし、シャッター速度として選択可能な複数の設定の中の一つを選択した場合に露出が第１状態における適正露出と一致させることが可能であるか否かを判定する。
【００５３】
ステップＳ１２５にて、絞り１２を最大開口径（最小のＦ値）とした状態で適正露出となるシャッター速度を選択できると判定された場合には、絞り１２を最大開口径とした場合に適正露出となるシャッター速度を選択する（ステップＳ１３０）。すなわち、状態制御部８０は、絞り１２を最大開口径とし、シャッター速度を当該絞り１２の設定において適正露出となるシャッター速度として第２状態における絞りおよびシャッター速度の設定とする。
【００５４】
表１は、第１状態が、絞り１２のＦ値＝８．０、シャッター速度＝１／１２５（秒）の状態で実現されている例を示しており、第１状態における絞り１２のＦ値とシャッター速度とを黒丸で示している。
【表１】
2013153371.tif 000003
【００５５】
表１に示す例において、絞り１２のＦ値が８．０の状態から最大開口径であるＦ値１．４の状態まで絞り１２の開口径を変化させる場合、Ｆ値は５段階小さくなる。従って、シャッター速度を５段階速くすることができれば、適正露出を維持したまま絞り１２を最大開口径に変化させることができる。そして、表１に示す例において、シャッター速度を１／１２５（秒）から５段階速くすると１／４０００（秒）となり、当該１／４０００（秒）は撮影装置１において選択可能なシャッター速度である。従って、表１に示す例においては、絞り１２の設定を最大開口径であるＦ値＝１．４とし、シャッター速度の設定を１／４０００（秒）として第２状態における設定する。
【００５６】
一方、ステップＳ１２５にて、絞り１２を最大開口径とした状態で適正露出となるシャッター速度を選択できないと判定された場合、状態制御部８０は、シャッター速度を最高速とした場合に適正露出となる絞り１２の開口径を選択する（ステップＳ１３５）。すなわち、状態制御部８０は、シャッター速度を最高速とし、絞り１２の開口径を当該シャッター速度の設定において適正露出となる開口径として第２状態における絞りおよびシャッター速度の設定とする。
【００５７】
表２は、第１状態が、絞り１２のＦ値＝８．０、シャッター速度＝１／５００（秒）の状態で実現されている例を示しており、第１状態における絞り１２のＦ値とシャッター速度とを黒丸で示している。
【表２】
2013153371.tif 000004
【００５８】
表２に示す例において、絞り１２のＦ値が８．０の状態から最大開口径であるＦ値１．４の状態まで絞り１２の開口径を変化させる場合、Ｆ値は５段階小さくなる。しかし、撮影装置１において、シャッター速度が１／５００（秒）の状態から５段階速くなる１／１６０００（秒）とすることはできない。そこで、本例においては、シャッター速度が最高速となる１／４０００（秒）が選択される。このように、第１状態におけるシャッター速度である１／５００（秒）を１／４０００（秒）まで変化させるためには、シャッター速度を３段階速くする必要がある。従って、適正露出を維持したまま絞り１２を変化させるためには、絞り１２のＦ値を３段階小さくすればよい。従って、表２に示す例においては、絞り１２の設定をＦ値＝２．８とし、シャッター速度の設定を１／４０００（秒）として第２状態における設定とする。
なお、もしも第１状態が、絞り１２のＦ値＝１．４又はシャッター速度＝１／４０００（秒）の状態で実現されている場合は、適正露出を維持したまま絞り１２のＦ値を小さくすることができない。よってこの場合は、第２状態は第１状態と同じとして、絞り１２もシャッター速度も変化させない。
【００５９】
以上のように、本実施形態においては、絞り１２のＦ値をｎ段階（ｎは０以上の整数）小さくし、シャッター速度をｎ段階速くすることによって第２状態が実現される。そこで、第２状態における設定が特定されると、状態制御部８０は、第２状態の設定となるように絞り１２の開口径とシャッター速度とをｎ段階変化させる（ステップＳ１４０）。すなわち、状態制御部８０は、第１状態から第２状態に変化させるために必要な絞り１２およびシャッター速度の変化段数ｎを特定し、１段階ずつ絞り１２のＦ値とシャッター速度とを変化させることによって第１状態から第２状態に変化させる。
【００６０】
このとき、シャッター速度と絞りとを１段階ずつ両方を変化させることが望ましい。具体的には、ｎが１以上である場合、状態制御部８０は、シャッター速度調整部７０に対してシャッター速度を１段階高速化させるための制御信号を出力し、絞り調整部６０に対して絞り１２のＦ値を１段階小さくさせる（開口径を１段階大きくさせる）ための制御信号を出力する。この結果、シャッター速度調整部７０がエリアイメージセンサー１４における電子シャッターのシャッター速度を直前のシャッター速度よりも１段階速くさせる。シャッター速度と絞りとをさらに変化させる場合には、さらに、絞り調整部６０が絞り１２のＦ値を直前のＦ値よりも１段階小さくさせる。状態制御部８０は、以上のようなシャッター速度の変更と絞り１２の開口径の変更をｎ回繰り返すことにより、第２状態のシャッター速度と絞り１２の開口径を実現する。
【００６１】
以上の処理において、状態制御部８０は、シャッター速度と絞り１２の開口径との双方を１段ずつ変化させている。従って、第１状態から第２状態に状態が変化する過程において、第１状態で実現された適正露出からの変化を抑えてシャッター速度と絞り１２の開口径とが変化する。このため、表示部２０にてユーザーに視認される画像の露出が適正な状態からの変化を抑えて第１状態から第２状態に変化させることができる。従って、本実施形態においては、状態制御部８０が絞り調整部６０およびシャッター速度調整部７０と協働して露出を調整していることとなり、状態制御部８０、絞り調整部６０およびシャッター速度調整部７０が露出調整部を構成する。
【００６２】
以上のようにして第２状態が実現されると、表示画像制御部１５ａはマニュアルフォーカス調整をアシストするための画像を生成し、表示制御部１５ｂは当該画像を表示部２０に表示する（ステップＳ１４５）。本実施形態において表示画像制御部１５ａは、ステップＳ１４０にて第２状態に設定された状態で撮影した画像に対してエッジ強調処理を行って当該アシストのための画像を示す画像データを生成する。
【００６３】
図４Ａ〜４Ｃは、当該画像データの生成を模式的に説明するための説明図である。また、図４Ａは、横軸を座標ｉ（ｉは自然数）、縦軸を座標毎の階調値Ｘiとして１次元の画像データの例を示している。図４Ｂは、図４Ａに示す画像データに対してエッジ検出フィルタを適用した結果を示すグラフであり、横軸が座標ｉ、縦軸がエッジ検出フィルタ適用後の値である。図４Ｃは、図４Ａに示す画像データと図４Ｂに示すエッジ検出フィルタ適用後の値とを線形結合することによって生成されるエッジ強調後の値を示すグラフであり、横軸が座標ｉ、縦軸がエッジ強調後の値である。
【００６４】
これらの例においてエッジ検出フィルタは、着目画素の周囲の画素の階調値と着目画素の階調値との符号を逆にして線形結合するフィルタであり、図４Ｂに示す例においては、座標ｉに関するエッジ検出フィルタ適用後の値が（Ｘi+1−２Ｘi＋Ｘi-1）として算出される。ここで、Ｘi+1は図４Ａにおいて座標ｉの右隣の画素の階調値であり、Ｘi-1は図４Ａにおいて座標ｉの左隣の画素の階調値である。このエッジ検出フィルタにおいては、着目画素の前後で座標に対する階調値の変化度合い（傾き）が変化するとエッジとして検出される。また、階調値の変化度合いが大きくなるほどエッジ検出フィルタ適用後の値の絶対値が大きくなる。
【００６５】
さらに、これらの例において、エッジ強調処理は、元の画像データ（図４Ａ）とエッジ検出フィルタ適用後の値（図４Ｂ）とを線形結合することによって実現される。図４Ｃに示す例においては、座標ｉに関するエッジ強調後の値が（Ｘi−Ｋ（Ｘi+1−２Ｘi＋Ｘi-1））として算出される。ここで、Ｋはエッジの強調度合いを規定する係数である。このエッジ強調においては、図４Ａに示す画像データにおける階調値の変化度合いが大きくなるほどエッジ全体（例えば、図４Ｃに示すＥ）での階調値の変化幅が大きくなり、より強調されることになる。
【００６６】
さらに、本実施形態においては、エッジ強調前の階調値の変化度合いが所定の度合いを超えるエッジについては、エッジ強調後の値の最大値が階調値域の最大値となり、エッジ強調後の値の最小値が階調値域の最小値となるように係数Ｋが選択されている。すなわち、仮に元の画像がモノトーンである場合、階調値の変化度合いが所定の度合いを超えるエッジは、エッジ強調によって白飛びする部分から黒つぶれする部分まで階調値が変化するようなエッジとなる
【００６７】
一般に、画像内の特定の被写体に焦点が合っている場合、当該被写体の像のエッジにおける階調値の変化幅は大きくなり、被写体に焦点が合っていない場合にはエッジにおける階調値の変化幅は小さくなる。特に絞りを開いて被写界深度を狭くするとどこに焦点が合っているのかが分かりやすくなる。このため、画像データに対して図４Ｃに示すようなエッジ強調処理を行うと、焦点が合っている被写体においてはエッジが階調値域の最大値から最小値まで変化するエッジとなるように強調され、焦点が合っていない被写体においてはエッジが強調されない。
【００６８】
従って、図４に示すエッジ強調後の画像が表示部２０に表示されると、ユーザーは当該画像に基づいて焦点が合っている部分を容易に特定することができる。そして、図３のステップＳ１４０以降においては、絞りを開いてマニュアルフォーカス調整が行われている状態であるため、ユーザーは、表示部２０の画像を視認しながらレンズ１１の焦点の位置を手動で容易に調整することができる。
【００６９】
次に、状態制御部８０は、マニュアルフォーカス調整が終了したか否かを判定する（ステップＳ１５０）。本実施形態においては、フォーカスリングが所定時間（例えば、１秒）以上操作されない場合にマニュアルフォーカス調整が終了したと判定する。なお、ここでは予め決められたマニュアルフォーカス調整終了条件に合致している場合にマニュアルフォーカス調整が終了したと判定することができればよく、他の条件を適用することも可能である。例えば、ボタン操作等によるユーザーの明示的な指示が行われた場合にマニュアルフォーカス調整が終了したと判定しても良いし、フォーカスリングに設けたタッチセンサーによってユーザーがフォーカスリングを触っていないと判断された場合にマニュアルフォーカス調整が終了したと判定しても良いし、ユーザーによる間接的な指示、例えば、シャッターボタンなどによって他の機能を開始する指示が行われた場合にマニュアルフォーカス調整が終了したと判定してもよく、種々の構成を採用可能である。
【００７０】
ステップＳ１５０にて、マニュアルフォーカス調整が終了したと判定されない場合、ステップＳ１４５以降の処理が繰り返され、エッジ強調された状態でライブビューを表示し続ける。一方、ステップＳ１５０にて、マニュアルフォーカス調整が終了したと判定された場合、状態制御部８０は、絞り調整部６０およびシャッター速度調整部７０に制御信号を出力し、絞り１２の開口径とシャッター速度との設定を再び第１状態に戻す（ステップＳ１５５）。次に、撮影処理部１５ｃは、操作部４０におけるシャッターボタンが押されたか否かを判定する（ステップＳ１６０）。ステップＳ１６０にて、シャッターボタンが押されたと判定されない場合、ステップＳ１００以降の処理を繰り返す。すなわち、第１状態で表示部２０におけるライブビュー表示を継続させる。
【００７１】
一方、ステップＳ１６０において、シャッターボタンが押されたと判定された場合、撮影処理部１５ｃおよび画像生成部１５ｄの処理により、記録用の画像を撮影して記録媒体に記録する（ステップＳ１６５）。すなわち、第１状態の露出設定によって画像を撮影して記録する。そしてその後、ステップＳ１００に戻り、次の撮影に備える。以上の構成によれば、ユーザー所望の絞り１２の状態でライブビューを行いつつ、マニュアルフォーカス調整が開始されると合焦している部分を容易に判定可能な画像を表示部２０に表示してマニュアルフォーカス調整をアシストし、マニュアルフォーカス調整が終了すると再度ユーザー所望の絞り１２の状態でライブビューを行う状態とすることができる。また、マニュアルフォーカス調整の終了後にシャッターボタンが押されると、ユーザー所望の絞り１２の状態で画像を撮影することができる。
【００７２】
（３）他の実施形態：
以上の実施形態は本発明を実施するための一例であり、マニュアルフォーカス調整の開始に応じて絞りを開き、焦点が合っている部分を示す画像を表示する限りにおいて、以下の変形例を組み合わせるなど他にも種々の実施形態を採用可能である。
【００７３】
例えば、上述の実施形態において表示部２０は液晶パネルを用いたＥＶＦであったが、表示部２０はＥＶＦ以外の表示部、例えば、撮影装置１の背面に取り付けられる液晶パネルを用いた表示部であっても良いし、液晶パネル以外の方式を用いたものであっても良い。また、撮影装置１はミラーを備えた一眼レフカメラでも良く、さらにムービーカメラであっても良いし、撮影機能を備えた携帯電話等の装置であっても良い。さらに、上述のエリアイメージセンサー１４において、カラーフィルターはベイヤー配列であったが、ベイヤー配列以外の配列で構成されたセンサーを利用した撮影装置に本発明を適用しても良い。さらに、上述の実施形態においては、ユーザーによる設定に基づいて絞り１２の開口径を調整した状態でＡＥを行ってシャッター速度を調整する、絞り優先モードでライブビューを行っていたが、他の撮影モード、例えば、シャッター速度優先モードでライブビューを行っても良い。
【００７４】
さらに、上述の実施形態においては、第２状態を実現するために、状態制御部８０が、シャッター速度調整部７０と絞り調整部６０との双方に対して制御信号を出力することでシャッター速度の変化と絞り１２の変化とを同期させていたが、シャッター速度の変化と絞り１２の変化とのいずれか一方を先行させても良い。すなわち、シャッター速度の変化と絞り１２の変化とが完全に同期しない場合、双方の変化開始から変化が完了するまでの間に、露出が適正露出と異なる状態となるごく短い期間が発生し得る。そこで、画像が暗くなるよりも明るくなる方がユーザーに対する影響が少ない場合には絞り１２の開口径の変化をシャッター速度の変化よりも先行させればよいし、画像が明るくなるよりも暗くなる方がユーザーに対する影響が少ない場合にはシャッター速度の変化を絞り１２の変化よりも先行させればよい。
【００７５】
さらに、マニュアルフォーカス調整をアシストするための画像を生成するための構成は、上述の構成以外にも種々の構成を採用可能である。例えば、強調されたエッジをよりわかりやすく示すように構成してもよい。例えば、第２状態にて焦点が合っている部分を示す画像を生成する際に、当該部分を当該部分の被写体の色と異なる色で着色する構成としても良い。被写体の色と異なる色としては、被写体の色以外の色であればよいが、自然界における存在確率が所定確率以下となる色であることが好ましい。例えば、ＲＧＢの各色チャネルで構成される画像データにおいて、ＲＧＢいずれかの階調値が最大値、他の階調値が最小値となる色によって着色する構成等を採用可能である。このような構成は、例えば、上述のエッジ強調処理によって任意の色チャネルの階調値が最大値となった画素の色を、ＲＧＢいずれかの階調値が最大値、他の階調値が最小値となる色に置換すること等によって実現可能である。この構成によれば、ユーザーはより明確に合焦部分を特定することができる。
【００７６】
また、上述の実施形態においては、マニュアルフォーカス調整では第１状態と同じ露出になるように絞りとシャッター速度を変化させ、マニュアルフォーカス調整が終了した場合に、第１状態と同じ絞りとシャッター速度に変化させていたが、被写体の明るさが変化した場合には、その変化に応じて絞りとシャッター速度との少なくとも一方をさらに変化させることが望ましい。具体的には、被写体の明るさが変化したことを検知した場合に、表示画像制御部１５ａは変化後の明るさの被写体が適正露出になるように、第２状態の絞りとシャッター速度との少なくとも一方を変化させ、マニュアルフォーカス調整が終了したのちの絞りとシャッター速度との少なくとも一方も変化させる。さらに第２状態の絞りとシャッター速度との少なくとも一方を変化させる場合には、絞りやシャッター速度を設定できる範囲内で、被写体が明るくなった場合にはシャッター速度を速くし、被写体が暗くなった場合には絞りを開くようにすることを優先することが望ましい。
また、上述の実施形態においては、絞り値のみをユーザーが指定していたが、これに限られず、絞り値もＡＥで決定するようにしてもよいし、絞り値とシャッター速度との両方をユーザーが指定してもよい。
【符号の説明】
【００７７】
１０…光学系、１１…レンズ、１２…絞り、１３…シャッター、１４…エリアイメージセンサー、１５ａ…表示画像制御部、１５ｂ…表示制御部、１５ｃ…撮影処理部、１５ｄ…画像生成部、２０…表示部、３０…記録部、４０…操作部、５０…焦点調整部、６０…調整部、７０…シャッター速度調整部、８０…状態制御部、１００…撮像部
【図１】
2013153371.tif 000005
【図２】
2013153371.tif 000006
【図３】
2013153371.tif 000007
【図４】
2013153371.tif 000008